(57)【要約】【課題】従来の第二刈刃は、左右一対の支持フレームにより刈刃フレームの左右両側を支持する構成のため、一方の縦支持フレームが障害物等に接触すると、第二刈刃が傾斜するという課題がある。【解決手段】第二刈刃２０の支持機構２１は複数の縦方向の縦支持フレーム２２の下部に第二刈刃２０を取付けた横方向の刈刃フレーム２３を取付けて構成する。複数の縦支持フレーム２２のうちの一つは刈刃フレーム２３に長さ固定状態に取付け、残りの縦支持フレーム２２は長さ変更可能に刈刃フレーム２３に取付けたコンバイン。【選択図】図２
2015084679.tif 000002
【特許請求の範囲】
【請求項１】
走行装置（２）の上側に備える機体フレーム（１）上に脱穀装置（３）を設け、該脱穀装置（３）の前方に搬送エレベーター（１５）を介して接続される刈取装置（４）を設け、該刈取装置（４）を、オーガフレーム（１１）に、リール（１２）と第一刈刃（１３）とオーガ（１０）とを設けた構成とし、前記オーガフレーム（１１）の後方には支持機構（２１）を介して機体フレーム（１）に支持された第二刈刃（２０）を設け、前記支持機構（２１）は複数の縦方向の縦支持フレーム（２２）の下部に第二刈刃（２０）を取付けた横方向の刈刃フレーム（２３）を取付けて構成し、複数の縦支持フレーム（２２）のうちの一つは刈刃フレーム（２３）に長さ固定状態に取付け、残りの縦支持フレーム（２２）は長さ変更可能に刈刃フレーム（２３）に取付けたコンバイン。
【請求項２】
請求項１記載の発明において、前記固定縦支持フレーム（２２）は、刈刃フレーム（２３）に溶接により長さ固定状態に取付け、長さ変更可能縦支持フレーム（２２）はボルト（２４）により刈刃フレーム（２３）に取付けたコンバイン。
【請求項３】
請求項１または請求項２記載の発明において、前記複数の縦支持フレーム（２２）のうち、中央縦支持フレーム（２２）は、その左右幅を、他の縦支持フレーム（２２）に比し細く形成したコンバイン。
【請求項４】
請求項１または請求項２または請求項３記載の発明において、前記複数の縦支持フレーム（２２）のうち、中央縦支持フレーム（２２）は、板形状の板状ステー（５０）により刈刃フレーム（２３）に取付け、外側縦支持フレーム（２２）は箱状ステー（５１）により取付けたコンバイン。
【請求項５】
請求項１または請求項２または請求項３または請求項４記載の発明において、前記支持機構（２１）は、刈刃フレーム（２３）の左右両側および中央付近を縦支持フレーム（２２）により支持する構成とし、左側の縦支持フレーム（２２）を刈刃フレーム（２３）に溶接固定して前記固定縦支持フレーム（２２）として第二刈刃（２０）の伝動機構Ｄを取付け、中央縦支持フレーム（２２）と右側の縦支持フレーム（２２）を長さ変更可能縦支持フレーム（２２）としたコンバイン。
【請求項６】
請求項５記載の発明において、前記固定縦支持フレーム（２２）の上部に中間出力軸（３０）を軸装し、中間出力軸（３０）にはエンジン（３１）からの回転を入力すると共に、中間出力軸（３０）に入力した回転運動を往復正逆回転運動に変換する運動変換機構部（３３）を中間出力軸（３０）に設け、運動変換機構部（３３）の動力を第二刈刃（２０）へ伝達する伝動機構（Ｄ）を設け、前記中間出力軸（３０）へのエンジン（３１）からの回転入力は、搬送エレベーター（１５）の内側に設けたチェン（４１）により行う構成としたコンバイン。
【発明の詳細な説明】
【技術分野】
【０００１】
本発明は、コンバインに係るものである。
【背景技術】
【０００２】
従来、機体フレームの下方に走行装置を設け、機体フレームの上側に脱穀装置を設け、脱穀装置に操縦部の側方に位置する搬送エレベーターを介して刈取装置を設け、該刈取装置を、左右の側板と底板と後板により構成したテーブルに、リールと第一刈刃とオーガとを設けた構成とし、前記オーガフレームの後板の後方には第二刈刃を設け、第二刈刃は直線状の支持アームの先端に取付け、支持アームの基部を搬送エレベーターの下方の機体フレームに回動自在に取付け、搬送エレベーターの第二刈刃の刈刃フレームの左右両側および中央部を第二刈刃支持フレームにより吊設した構成は、公知である（特許文献１）。
【先行技術文献】
【特許文献】
【０００３】
【特許文献１】特開２０１１−２００１８８号公報
【発明の概要】
【発明が解決しようとする課題】
【０００４】
前記公知例は、左右一対の支持フレームにより刈刃フレームの左右両側を支持する構成のため、一方の縦支持フレームが障害物等に接触すると、第二刈刃が傾斜するという課題がある。
本願は、第二刈刃の支持構成を工夫し、第二刈刃の水平状態の保持を簡素にできるように工夫したものである。
【課題を解決するための手段】
【０００５】
請求項１記載の発明は、走行装置２の上側に備える機体フレーム１上に脱穀装置３を設け、該脱穀装置３の前方に搬送エレベーター１５を介して接続される刈取装置４を設け、該刈取装置４を、オーガフレーム１１に、リール１２と第一刈刃１３とオーガ１０とを設けた構成とし、前記オーガフレーム１１の後方には支持機構２１を介して機体フレーム１に支持された第二刈刃２０を設け、前記支持機構２１は複数の縦方向の縦支持フレーム２２の下部に第二刈刃２０を取付けた横方向の刈刃フレーム２３を取付けて構成し、複数の縦支持フレーム２２のうちの一つは刈刃フレーム２３に長さ固定状態に取付け、残りの縦支持フレーム２２は長さ変更可能に刈刃フレーム２３に取付けたコンバインとしたものであり、固定状態に刈刃フレーム２３に取付けた縦支持フレーム２２を除いて、縦支持フレーム２２の長さを変更調節し、第二刈刃２０の水平調節を行う。
請求項２記載の発明は、前記固定縦支持フレーム２２は、刈刃フレーム２３に溶接により長さ固定状態に取付け、長さ変更可能縦支持フレーム２２はボルト２４により刈刃フレーム２３に取付けたコンバインとしたものであり、固定状態に取付ける固定縦支持フレーム２２の下部を刈刃フレーム２３に溶接固定し、長さ変更可能縦支持フレーム２２の下部をボルト２４により刈刃フレーム２３に取付ける。
請求項３記載の発明は、前記複数の縦支持フレーム２２のうち、中央縦支持フレーム２２は、その左右幅を、他の縦支持フレーム２２に比し細く形成したコンバインとしたものであり、刈刃フレーム２３の中央部分は他の縦支持フレーム２２に比し左右幅を細く形成した中央縦支持フレーム２２により支持する。
請求項４記載の発明は、前記複数の縦支持フレーム２２のうち、中央縦支持フレーム２２は、板形状の板状ステー５０により刈刃フレーム２３に取付け、外側縦支持フレーム２２は箱状ステー５１により取付けたコンバインとしたものであり、中央の中央縦支持フレーム２２は、板形状の板状ステー５０により刈刃フレーム２３に取付け、外側縦支持フレーム２２は箱状ステー５１により取付ける。
請求項５記載の発明は、前記支持機構２１は、刈刃フレーム２３の左右両側および中央付近を縦支持フレーム２２により支持する構成とし、左側の縦支持フレーム２２を刈刃フレーム２３に溶接固定して前記固定縦支持フレーム２２として第二刈刃２０の伝動機構Ｄを取付け、中央縦支持フレーム２２と右側の縦支持フレーム２２を長さ変更可能縦支持フレーム２２としたコンバインとしたものであり、左側の縦支持フレーム２２の下部を刈刃フレーム２３に溶接固定して固定縦支持フレーム２２とすると共に、この固定縦支持フレーム２２に伝動機構Ｄを取付け、中央縦支持フレーム２２と右側縦支持フレーム２２の下部を高さ調節可能に刈刃フレーム２３に取付ける。
請求項６記載の発明は、前記固定縦支持フレーム２２の上部に中間出力軸３０を軸装し、中間出力軸３０にはエンジン３１からの回転を入力すると共に、中間出力軸３０に入力した回転運動を往復正逆回転運動に変換する運動変換機構部３３を中間出力軸３０に設け、運動変換機構部３３の動力を第二刈刃２０へ伝達する伝動機構Ｄを設け、前記中間出力軸３０へのエンジン３１からの回転入力は、搬送エレベーター１５の内側に設けたチェン４１により行う構成としたコンバインとしたものであり、固定縦支持フレーム２２の上部の中間出力軸３０にはエンジン３１からの回転が入力され、入力された回転運動を運動変換機構部３３により往復正逆運動に変換し、往復正逆運動を第二刈刃２０に伝動機構Ｄにより伝達されて第二刈刃２０が駆動される。
【発明の効果】
【０００６】
請求項１記載の発明では、支持機構２１の縦支持フレーム２２の長さを変更調節することにより、第二刈刃２０の水平調節を行うことができ、これにより、第二刈刃２０を組み立てる際の誤差を吸収して取付精度を向上させることができ、組立および取付精度の向上と組立の容易化を両立させることができ、また、縦支持フレーム２２が障害物に接触した場合に、縦支持フレーム２２の長さを長短に変更調節することにより、第二刈刃２０の水平調節を容易に行うことができる。
請求項２記載の発明では、固定状態に取付ける固定縦支持フレーム２２の下部を刈刃フレーム２３に溶接固定し、長さ変更可能縦支持フレーム２２の下部をボルト２４により刈刃フレーム２３に取付けているので、刈刃フレーム２３の水平調節を容易にできる。
請求項３記載の発明では、刈刃フレーム２３の中央部分は他の縦支持フレーム２２に比し左右幅を細く形成しているので、切断穀稈の通り抜けを良好にでき、支持機構２１に切断穀稈が滞留するのを抑制できる。
請求項４記載の発明では、中央縦支持フレーム２２は板形状の板状ステー５０により取付けているので、切断穀稈の通り抜けを良好にでき、外側縦支持フレーム２２は箱状ステー５１により取付けているので、支持剛性を高めることができる。
請求項５記載の発明では、刈刃フレーム２３の左右両側および中央付近を縦支持フレーム２２により支持しているので、支持剛性を向上させることができ、第二刈刃２０の水平状態の保持を良好にできると共に、左側縦支持フレーム２２を刈刃フレーム２３に溶接固定して前記固定縦支持フレーム２２として伝動機構Ｄを取付けているので、第二刈刃２０の作動を安定させることができ、また、中央縦支持フレーム２２と右側縦支持フレーム２２を長さ変更可能縦支持フレーム２２としているので、水平調節を容易にできる。
請求項６記載の発明では、チェン４１のカバーを不要にすることができる。
【図面の簡単な説明】
【０００７】
【図１】コンバインの側面図。
【図２】第二刈刃および機体フレームの展開状態の平面図。
【図３】刈取装置への伝動経路図。
【図４】第二刈刃支持機構の正面図。
【図５】第二刈刃の縦支持フレームの取付状態側面図。
【図６】第二刈刃支持機構の他の実施形態の縦支持フレームの取付状態側面図。
【図７】第二刈刃支持機構の他の実施形態の側面図。
【図８】第二刈刃支持機構の他の実施形態の側面図。
【図９】刈取装置の側面図。
【発明を実施するための形態】
【０００８】
本発明の一実施例を図面により説明すると、１は刈り取った圃場の穀稈を投入して脱穀する所謂汎用コンバインの機体フレーム、２は機体フレーム１の下方に設けた走行装置、３は機体フレーム１の上方に設けた脱穀装置、４は刈取装置、５はグレンタンク、６は操縦部である。
刈取装置４は、側板とオーガ１０の下方に位置する底板と後板により構成したオーガフレーム１１に、リール１２と、第一刈刃１３を設けて構成する。
オーガフレーム１１には搬送エレベーター１５の先端を取付け、搬送エレベーター１５の基部は脱穀装置３の脱穀室に接続する。前記オーガフレーム１１は前記操縦部６のすぐ前方に位置させ、前記搬送エレベーター１５は前記操縦部６の側部に位置させる。
また、刈取装置４は、搬送エレベーター１５と共に、刈取上下シリンダ（図示省略）により搬送エレベーター１５の基部側を回動中心にして上下するように構成している。
【０００９】
前記オーガフレーム１１の後方には第二刈刃２０を設ける。第二刈刃２０は、支持機構（第二刈刃支持機構）２１により取付ける。第二刈刃支持機構２１は複数の縦方向の縦支持フレーム２２の下部に第二刈刃２０を取付けた横方向の刈刃フレーム２３を取付け、複数の縦支持フレーム２２のうちの一つは刈刃フレーム２３に長さ固定状態に取付け、他の縦支持フレーム２２は長さ変更可能に刈刃フレーム２３に取付ける。
そのため、第二刈刃２０の左右側における地面に対する高さを同じにする水平調節可能となり、美麗な刈跡にする。
固定縦支持フレーム２２（２２Ａ）は、刈刃フレーム２３に溶接により長さ固定状態に取付け、長さ変更可能縦支持フレーム２２（２２Ｂ）はボルト２４により刈刃フレーム２３に取付け、ボルト２４の取付位置を変更することにより、長さを変更し、第二刈刃２０の高さ調節を行う。
なお、高さ調節する構成は任意であるが、ボルト２４を縦長の長孔２５（図５）に挿通して固定する構成、あるいは、複数の挿通孔に選択的に挿通固定させる構成でもよい。
２６は縦支持フレーム２２のボス部、２７は機体フレーム１の取付部である。
【００１０】
前記複数の縦支持フレーム２２のうち、固定縦支持フレーム２２（２２Ａ）に第二刈刃２０への伝動機構Ｄを取付ける。
そのため、縦支持フレーム２２は刈刃フレーム２３に固定しているので、伝動機構Ｄを支持するのに十分な取付強度を確保でき、また、伝動機構Ｄの軸間距離の変化も抑制でき、伝動機構Ｄの作動を安定させられる。
伝動機構Ｄの構成は任意であるが、一例を示すと、固定縦支持フレーム２２Ａの上部に中間出力軸３０を軸装し、中間出力軸３０にはエンジン３１からの回転が伝達される。中間出力軸３０の外端には、回転運動を往復正逆回転運動に変換する運動変換機構部３３を設ける。中間出力軸３０は運動変換機構部３３へ駆動回転を入力する入力軸として作用し、運動変換機構部３３に前後方向の伝動軸３５の基部のフォーク部３６を着脱自在に取付ける。伝動軸３５の先端にはアーム３７の基部を取付け、アーム３７の先端は前記第二刈刃２０側に取付ける（図２，図３）。
【００１１】
なお、第一刈刃１３は刈取装置４の上昇により駆動伝達が停止されるので、第一刈刃１３と第二刈刃２０は夫々別の伝動経路により伝達されるが、第一刈刃１３への伝動機構は第二刈刃２０の伝動機構Ｄと同様な構成であり、同一符号により説明している。
前記中間出力軸３０の内端側には従動歯車４０を設け、従動歯車４０に前記搬送エレベーター１５からの回転を伝達するチェン４１を掛け回す。４２は搬送エレベーター１５の駆動軸、４３は駆動軸４２に設けた歯車であり、歯車４３と従動歯車４０との間にチェン４１を掛け回している。
チェン４１は搬送エレベーター１５の駆動軸４２と中間出力軸３０の間に設けているので、搬送エレベーター１５が駆動軸４２を支点に上下するので、チェン４１と中間出力軸３０の軸間距離は変化せず、この点でも、構成を簡素にする。
図示は省略するが、第二刈刃２０に回転伝達するチェン４１を搬送エレベーター１５の内側に設けると、構成が簡素になり、好適である。
【００１２】
即ち、仮に、搬送エレベーター１５の外側にチェン４１を設けると、未刈り穀稈がチェン４１に絡まることがあり、チェン４１を包囲するカバーが必要となるが、上下する搬送エレベーター１５の側方と上下しない中間出力軸３０の間のチェン４１を包囲する形状とすることになり、本願では、カバーの設置構成が不要になって、構成を簡素にする。
また、前記運動変換機構部３３を含めた伝動機構Ｄも搬送エレベーター１５の内側に設けると、伝動機構Ｄのカバーの設置構成が不要になって、構成を簡素にして、好適である。
前記複数の縦支持フレーム２２のうち、中央の中央縦支持フレーム２２は、その幅（左右幅）を、他の縦支持フレーム２２に比し細く形成する（図４）。
【００１３】
そのため、第二刈刃２０が切断した切断穀稈が中央縦支持フレーム２２へ当接したり、絡まったりする干渉を抑制することができ、切断穀稈の通り抜けを良好にし、切断穀稈の停滞を防止する。
前記複数の縦支持フレーム２２のうち、中央の中央縦支持フレーム２２は、板形状の板状ステー５０により刈刃フレーム２３に取付け、外側縦支持フレーム２２は箱状ステー５１により取付ける。
そのため、中央縦支持フレーム２２の板状ステー５０への切断穀稈の干渉を抑制し、通り抜けを良好にし、切断穀稈の停滞を防止する。
また、外側縦支持フレーム２２は箱状ステー５１により取付けているので、支持強度を充分確保する。
【００１４】
本実施形態では、縦支持フレーム２２は３本とし、左側縦支持フレーム２２を前記固定縦支持フレーム２２（２２Ａ）として刈刃フレーム２３に溶接固定して伝動機構Ｄを取付け、中央縦支持フレーム２２と右側縦支持フレーム２２を長さ変更可能縦支持フレーム２２（２２Ｂ）とし、それぞれ、刈刃フレーム２３の板状ステー５０と箱状ステー５１にボルト２４により取付位置変更自在に取付け、高さ調節可能にしている。前記長孔２５は板状ステー５０および箱状ステー５１に設け、長孔２４内を長さ方向にボルト２４を移動させて長さを調節する。
左側の縦支持フレーム２２が固定縦支持フレーム２２（２２Ａ）として刈刃フレーム２３に溶接固定しているので、ボルト等の突起物が存在せず、未刈り穀稈が引っ掛かり（絡み付き）を抑制する。
５２は固定縦支持フレーム２２（２２Ａ）に設けた支持部材であり、支持部材５２は前記伝動軸３５を支持する。
【００１５】
前記複数の縦支持フレーム２２の間の刈刃フレーム２３には、カバー５３を設ける（図５）。カバー５３は第二刈刃２０を後方に延長するような形状の水平部５４と水平部５４に続いて後下がりに傾斜させた傾斜部５５を有して構成する。
そのため、第二刈刃２０により切断された切断穀稈はカバー５３により後方へ誘導され、刈刃フレーム２３への切断穀稈の絡み付きを抑制する。
前記カバー５３は、前記左側縦支持フレーム２２の下部と前記板状ステー５０と箱状ステー５１とに夫々溶接固定する構成とすると（図６）、カバー５３は刈刃フレーム２３の強度メンバーとなって、第二刈刃２０の支持剛性を向上させられる。
また、カバー５３は、図８のように、刈刃フレーム２３と相俟って断面形状を箱形形状にすると、第二刈刃支持機構２１の剛性を向上させると共に、穀稈の引っ掛かりおよび停滞を抑制して、好適である。
また、カバー５３は、単体で箱形形状に形成してもよい。
【００１６】
前記第二刈刃２０は、刈刃フレーム２３と搬送エレベーター１５とを連結部材６０により連結する。
連結部材６０は、例えば、連結部材６０と搬送エレベーター１５との何れか一方に長孔６１を設け、この長孔６１に係合ピン６２を係合させ、刈取装置４が刈取作業範囲で上下するときには、第二刈刃２０は上下せず、圃場穀稈の根元側を切断して刈り取りし、機体を旋回させるとき等の刈取装置４を上昇させたときには、刈取装置４の上昇に伴って連結部材６０が刈刃フレーム２３を吊り上げ牽引して第二刈刃２０を上昇させる構成としている。
連結部材６０の下部は、中間出力軸３０より離れた刈刃フレーム２３側または縦支持フレーム２２側に軸６５により取付ける。
連結部材６０の回動支点である中間出力軸３０より離れた部位に連結部材６０の下部を取り付けると、吊り荷重を減少させられる。
即ち、第二刈刃２０の回動中心である中間出力軸３０に接近した箇所を連結部材６０よって吊り支持すると、吊り荷重が増加するが、中間出力軸３０より離れた部位に連結部材６０の下部を取り付けているので、吊り荷重を減少させられる。
【００１７】
連結部材６０の下部は、刈刃フレーム２３の左右中央部分に取付けると、第二刈刃２０の中央部分を上方牽引するので、第二刈刃２０を牽引する際の荷重バランスを良好になる。
特に、前記伝動機構Ｄを搬送エレベーター１５の内側で、第二刈刃２０の中央付近に配置すると、左右の重量バランスを良好にして、第二刈刃２０の上下を円滑にし、耐久性の低下を抑制する。
前記連結部材６０は、第二刈刃２０を最下方位置にしたときに、オーガフレーム１１の後板と平行状態に配置する。
そのため、第二刈刃２０の上下動時の動きが少なくなるため、干渉や、連結部材６０の制約が少なくなる。
【００１８】
長孔６１に係合する係合ピン６２は、搬送エレベーター１５側に取付ける。
そのため、搬送エレベーター１５と共に刈取装置４が上昇すると、連結部材６０の上部は搬送エレベーター１５の剛体部に設けた係合ピン６２により強固に支持される。
オーガフレーム１１側に係合ピン６２を設け、連結部材６０の上部をオーガフレーム１１側により支持すると、オーガフレーム１１側の剛体部により支持でき、好適である。
図中、７０はミッションケース、７１はホイールケースである。
【００１９】
（実施形態の作用）
走行装置２により機体を走行させると、リール１２が回転し、未刈稈を掻き込み、掻込んだ穀稈を第一刈刃１３で刈取り、刈取った穀稈および穀粒を回転するオーガオーガ１０により集めて搬送エレベーター１５内へ供給され、搬送エレベーター１５により脱穀装置３へ供給されて脱穀される。
刈取装置４のオーガフレーム１１の後方に第二刈刃２０を設けているので、前記第一刈刃１３が刈り残した残存穀稈を第二刈刃２０が刈り取る。第一刈刃１３により刈り取る穀稈長さが長いと、刈り取った穀稈を投入して脱穀する脱穀装置３の負荷を大きくするので、必要分第一刈刃１３により刈り取って脱穀装置３へ供給し、残した残存穀稈を第二刈刃２０が刈り取るのである。
第二刈刃２０は、複数の縦方向の縦支持フレーム２２の下部に第二刈刃２０を取付けた横方向の刈刃フレーム２３を取付け、複数の縦支持フレーム２２のうちの一つは刈刃フレーム２３に長さ固定状態に取付け、他の縦支持フレーム２２は長さ変更可能に刈刃フレーム２３に取付けた第二刈刃支持機構２１により支持しているので、第二刈刃２０の左右側における高さを同じにして、水平調節可能となり、美麗な刈跡にする。
【００２０】
また、第二刈刃２０の左右方向の水平状態の調節を行えるので、第二刈刃支持機構２１の各縦支持フレーム２２の製造誤差および組付誤差を吸収でき、製造および組立を容易にする。
固定縦支持フレーム２２（２２Ａ）は、刈刃フレーム２３に溶接により長さ固定状態に取付けているので、第二刈刃支持機構２１の支持剛性を向上させると共に、刈刃フレーム２３の姿勢を安定させた状態で長さ変更可能縦支持フレーム２２（２２Ｂ）をボルト２４によって取付られ、取付作業を容易にし、第二刈刃支持機構２１の組立および高さ調節（水平調節）作業を容易にする。
複数の縦支持フレーム２２のうち、固定縦支持フレーム２２（２２Ａ）に第二刈刃２０への伝動機構Ｄを取付けているので、伝動機構Ｄを支持するのに十分な取付強度を確保でき、また、伝動機構Ｄの軸間距離の変化も抑制でき、伝動機構Ｄの作動を安定させられる。
【００２１】
伝動機構Ｄは、固定縦支持フレーム２２（２２Ａ）の上部にエンジン３１からの回転が伝達される中間出力軸３０を軸装し、中間出力軸３０には、回転運動を往復正逆回転運動に変換する運動変換機構部３３を設け、運動変換機構部３３に前後方向の伝動軸３５の基部を着脱自在に取付け、伝動軸３５の先端にはアーム３７の基部を取付け、アーム３７の先端は前記第二刈刃２０側に取付けているので、エンジン３１からの回転が中間出力軸３０に伝達され、中間出力軸３０に伝達された回転運動を運動変換機構部３３により往復正逆回転運動に変換して伝動軸３５を往復正逆回転させ、伝動軸３５の往復正逆回転によりアーム３７が左右往復移動して第二刈刃２０を左右往復移動させて、穀稈を切断する。
【００２２】
中間出力軸３０の内端側には従動歯車４０を設け、従動歯車４０に前記搬送エレベーター１５からの回転を伝達するチェン４１を掛け回しており、チェン４１は搬送エレベーター１５の駆動軸４２と中間出力軸３０との間に設けているので、搬送エレベーター１５が駆動軸４２を支点に上下しても、チェン４１と中間出力軸３０の軸間距離は変化せず、この点でも、構成を簡素にする。
チェン４１は搬送エレベーター１５の内側に設けると、チェン４１を包囲するカバーが不要になって、構成が簡素になる。
第二刈刃２０に駆動を伝達する運動変換機構部３３を含めた伝動機構Ｄを搬送エレベーター１５の内側に設けると、伝動機構Ｄのカバーの設置構成が不要になって、構成を簡素にして、好適である。
【００２３】
複数の縦支持フレーム２２のうち、中央の中央縦支持フレーム２２は、その幅（左右幅）を、他の縦支持フレーム２２に比し細く形成しているので、第二刈刃２０が切断した切断穀稈の中央縦支持フレーム２２への当接や絡まりする等の干渉を抑制することができ、切断穀稈の通り抜けを良好にし、切断穀稈の停滞を防止する。
複数の縦支持フレーム２２のうち、中央縦支持フレーム２２は、板形状の板状ステー５０により刈刃フレーム２３に取付けているので、中央縦支持フレーム２２の板状ステー５０への切断穀稈の干渉を抑制し、通り抜けを良好にし、切断穀稈の停滞を防止する。
また、外側縦支持フレーム２２は箱状ステー５１により取付けているので、支持強度を充分確保する。
【００２４】
本願の第二刈刃支持機構２１は、３本の縦支持フレーム２２を有し、左側縦支持フレーム２２を固定縦支持フレーム２２（２２Ａ）として刈刃フレーム２３に溶接固定して伝動機構Ｄを取付け、中央縦支持フレーム２２と右側縦支持フレーム２２を長さ変更可能縦支持フレーム２２（２２Ｂ）とし、それぞれ、刈刃フレーム２３の板状ステー５０と箱状ステー５１にボルト２４により取付位置変更自在に取付け、高さ調節可能にしているので、左側の固定縦支持フレーム２２（２２Ａ）により伝動機構Ｄの支持を確実にすると共に、中央縦支持フレーム２２と右側縦支持フレーム２２の長さ変更可能縦支持フレーム２２（２２Ｂ）を、刈刃フレーム２３に取付ける際の刈刃フレーム２３の姿勢を安定させて作業を行えるので、組立およびに水平調節作業を容易にする。
刈刃フレーム２３の上面側にはカバー５３を設けているので、第二刈刃２０により切断された切断穀稈はカバー５３により後方へ誘導され、刈刃フレーム２３への切断穀稈の絡み付きを抑制する。
【００２５】
カバー５３は、左側縦支持フレーム２２の下部と前記板状ステー５０と箱状ステー５１とに夫々溶接固定して取付けると、第二刈刃２０の水平調節を可能としつつ、カバー５３は刈刃フレーム２３の強度メンバーとなって、第二刈刃２０の支持剛性を向上させられる。
第二刈刃２０は、刈刃フレーム２３と搬送エレベーター１５とを連結部材６０により連結して構成しているので、刈取装置４が刈取作業範囲で上下するときには、第二刈刃２０は上下せず、圃場穀稈の根元側を切断して刈り取りし、機体を旋回させるとき等の刈取装置４を上昇させたときには、刈取装置４の上昇に伴って連結部材６０が吊り上げ牽引して第二刈刃２０を上昇させる。
連結部材６０は、例えば、連結部材６０と搬送エレベーター１５との何れか一方に長孔６１を設け、この長孔６１に係合ピン６２を係合させているので、刈取装置４が刈取作業範囲で上下するときには、長孔６１内を係合ピン６２が上下して、第二刈刃２０を上下させない。
【００２６】
機体を旋回させるとき等の刈取装置４を上昇させるときには、長孔６１の上部に係合ピン６２が係合し、刈取装置４の上昇に伴って連結部材６０が吊り上げ牽引して第二刈刃２０を上昇させる。
刈取装置４を下降させると、第二刈刃２０は自重により下降し、図示は省略するが、所定位置に設けたストッパにより刈取装置４を所定高さに維持して、残存穀稈を刈取する。
この連結部材６０の下部は、刈刃フレーム２３の左右中央部分に取付けているので、第二刈刃２０の中央部分を上方牽引するので、第二刈刃２０を牽引する際の荷重バランスを良好になる。
特に、前記伝動機構Ｄを搬送エレベーター１５の内側で、第二刈刃２０の中央付近に配置すると、左右の重量バランスを良好にして、第二刈刃２０の上下を円滑にし、耐久性の低下を抑制する。
【００２７】
連結部材６０の下部は、刈刃フレーム２３側または縦支持フレーム２２側に軸６５により取付けているので、連結部材６０の回動支点を刈刃フレーム２３側または縦支持フレーム２２側に設けることになり、少ない荷重で第二刈刃２０を上下させられる。
連結部材６０は、第二刈刃２０を最下方位置にしたときに、オーガフレーム１１の後板と平行状態に配置しているので、第二刈刃２０の上下動時の動きが少なくなるため、干渉や、連結部材６０の制約が少なくなる。
なお、前記した各実施例は、理解を容易にするために、個別または混在させて図示および説明しているが、これらの実施例は夫々種々組合せ可能であり、これらの表現によって、構成・作用等が限定されるものではなく、また、相乗効果を奏する場合も勿論存在する。
【符号の説明】
【００２８】
１…フレーム、２…走行装置、３…脱穀装置、４…刈取装置、５…グレンタンク、６…操縦部、１０…オーガ、１１…オーガフレーム、１２…リール、１３…第一刈刃、１５…搬送エレベーター、２０…第二刈刃、２１…支持機構（第二刈刃支持機構）、２２…縦支持フレーム、２３…刈刃フレーム、２４…ボルト、２５…長孔、２６…ボス、２７…取付部、３０…中間出力軸、３１…エンジン、３３…運動変換機構部、３５…伝動軸、３６…フォーク部、３７…アーム、４０…従動歯車、４１…チェン、４２…駆動軸、４３…歯車、５０…板状ステー、５１…箱状ステー、５３…カバー、５４…水平部、５５…傾斜部、６０…連結部材、６１…長孔、６２…係合ピン、６５…軸、６６…軸。
【図１】
2015084679.tif 000003
【図２】
2015084679.tif 000004
【図３】
2015084679.tif 000005
【図４】
2015084679.tif 000006
【図５】
2015084679.tif 000007
【図６】
2015084679.tif 000008
【図７】
2015084679.tif 000009
【図８】
2015084679.tif 000010
【図９】
2015084679.tif 000011